(57)【要約】【課題】例えば画質が劣化して表示される場合、エンコード負荷の軽減、ビットレートの削減等を図る。【解決手段】映像受信装置１２０の情報送信部１２５は、画面制御情報取得部１２４で取得された画面制御情報が変化する毎に、当該画面制御情報を、映像送信装置１１０に送信する。画面制御情報は、表示パターン等の情報を含む。映像送信装置１１０の情報受信部１１３は、映像受信装置１２０から送られてくる画面制御情報を受信する。エンコード制御部１１４は、画面制御情報に基づいて、表示パターンに対応したエンコード処理が行われるようにエンコーダ１１２を制御する。例えば、エンコーダ１１２は、送信映像信号ＴＳに対してエンコード処理を行う際に、受信映像の表示画質（表示解像度、表示色数、表示フレームレート）に対応した状態でエンコード処理を行う。【選択図】図１
2009111441.tif 000002
【特許請求の範囲】
【請求項１】
送信映像信号に圧縮処理を施して圧縮符号化データを得るエンコーダと、
上記エンコーダで得られた圧縮符号化データが送信される映像受信装置から送られてくる受信映像の画質制御情報を受信する情報受信部と、
上記エンコーダにおけるエンコード処理を、上記情報受信部で受信された受信映像の画質制御情報に基づいて制御するエンコード制御部と
を備えることを特徴とする映像送信装置。
【請求項２】
上記画質制御情報は表示解像度を制御する制御情報であり、
上記エンコーダは、上記送信映像信号を上記画質制御情報が示す表示解像度に対応した解像度を持つように処理して圧縮処理を施す
ことを特徴とする請求項１に記載の映像送信装置。
【請求項３】
上記画質制御情報は表示色を制御する制御情報であり、
上記エンコーダは、上記送信映像信号を上記画質制御情報が示す表示色数に対応した色数を持つように処理して圧縮処理を施す
ことを特徴とする請求項１に記載の映像送信装置。
【請求項４】
上記画質制御情報は表示フレームレートを制御する制御情報であり、
上記エンコーダは、上記送信映像信号を上記画質制御情報が示す表示フレームレートに対応したフレームレートを持つように処理して圧縮処理を施す
ことを特徴とする請求項１に記載の映像送信装置。
【請求項５】
送信映像信号に圧縮処理を施して圧縮符号化データを得るエンコーダを備える映像送信装置におけるエンコード制御方法であって、
上記エンコーダで得られた圧縮符号化データが送信される映像受信装置から送られてくる受信映像の画質制御情報を受信し、
該受信された画質制御情報に基づいて上記エンコーダにおけるエンコード処理を制御する
ことを特徴とする映像送信装置におけるエンコード制御方法。
【請求項６】
映像送信装置から送られてくる映像信号の圧縮符号化データに伸長処理を施して受信映像信号を得るデコーダと、
上記デコーダで得られた受信映像信号による受信映像の画質を制御する画質制御部と、
上記画質制御部における画質制御情報を上記映像送信装置に送信する情報送信部と
を備えることを特徴とする映像受信装置。
【発明の詳細な説明】
【技術分野】
【０００１】
この発明は、映像送信装置、映像送信装置におけるエンコード制御方法および映像受信装置に関する。
【０００２】
詳しくは、この発明は、映像送信装置において映像受信装置から送られてくる受信映像の画質制御情報に基づいてエンコード処理を制御することにより、例えば画質が劣化して表示される場合に、エンコード負荷の軽減、ビットレートの削減、さらにはデコード負荷の軽減を図るようにした映像送信装置等に係るものである。
【背景技術】
【０００３】
従来、複数のコミュニケーション端末がネットワークを介して接続され、双方向にコミュニケーションを取ることができるようにしたコミュニケーションシステムが知られている。このようなコミュニケーションシステムとして、例えば、特許文献１等に記載されているテレビ会議システムがある。
【０００４】
図７は、テレビ会議システム等に適用される映像送受信システム２００の構成例を示している。この映像送受信システム２００は、映像送信装置２１０と映像受信装置２２０とがネットワーク２５０を介して接続された構成とされている。
【０００５】
映像送信装置２１０は、映像入力部２１１およびエンコーダ２１２を有している。映像入力部２１１は、カメラ、再生機等の映像信号の出力装置、あるいは、外部から映像信号を入力する映像入力端子等で構成されている。エンコーダ２１２は、映像入力部２１１で得られた送信映像信号ＴＳに対して、例えば、ＩＴＵによって標準化されたＨ．３２３等の所定規格に準拠した圧縮方式によって圧縮処理を施し、圧縮符号化データ（送信ストリームデータ）を生成する。この圧縮符号化データは、図示しないパケタイザにより所定フォーマットでパケット化された後、図示しない通信インタフェースによりネットワーク２５０を介して映像受信装置２２０に送信される。
【０００６】
また、映像受信装置２２０は、デコーダ２２１、画面制御部２２２およびモニタ２２３を有している。映像送信装置２１０からネットワーク２５０を介して送信されてくるパケット化された圧縮符号化データは図示しない通信インタフェースにより受信されて図示しないデパケタイザに供給され、このデパケタイザで各パケットから抽出されて再構成された圧縮符号化データはデコーダ２２１に供給される。このデコーダ２２１は、圧縮符号化データに対して伸長処理を施し、受信映像信号ＲＳを生成する。
【０００７】
モニタ２２３は、デコーダ２２１で生成された受信映像信号ＲＳによる受信映像を表示する。画面制御部２２２は、モニタ２２３に表示される受信映像の表示パターンを制御する。図８は、表示パターン例を示している。図８（ａ）においては、モニタ２２３の画面全体に受信映像が表示されている。図８（ｂ）においては、モニタ２２３の画面に一部が欠けた状態で受信映像が表示されている。図８（ｃ）においては、モニタ２２３の画面に、縮小等の画質を劣化させて受信映像が表示されている。図８（ｄ）においては、表示解像度の小さな低性能モニタに受信映像が表示されている。
【０００８】
図７に示す映像送受信システム２００においては、映像送信装置２１０のエンコーダ２１２におけるエンコードの条件は、ビットレートなどの変更がない限り、通信開始時に設定された条件が使われ続ける。しかし、通信中は、映像受信装置２２０における表示パターンが、上述の図８に示すような種々の表示パターンに切り替えられることが多く、映像の一部が表示されていない場合や、映像が縮小されて表示されている場合など、送信側の意図した品質が、受信側では再現されていない可能性がある。その際、情報量や、エンコーダの負荷が無駄になる。
【０００９】
特許文献２および特許文献３には、映像受信装置側で受信映像の一部を欠いた状態で表示する場合、その表示情報に基づいて、映像送信装置側では受信映像の欠けた部分の符号量を低減し、情報量やエンコーダの負荷を低減することが記載されている。
【特許文献１】特開２００５−３２８４８４号公報
【特許文献２】特開２００１−４５４７６号公報
【特許文献３】特開平０４−１５９８９０号公報
【発明の開示】
【発明が解決しようとする課題】
【００１０】
上述したように、映像受信装置２２０において種々の表示パターンに切り替えられる場合、送信側の意図した品質が受信側では再現されていない可能性があり、情報量や、エンコーダの負荷が無駄になるという問題がある。また、上述した特許文献２、特許文献３に記載される技術では、映像が縮小される等の画質が劣化して表示される場合には対処できない。
【００１１】
この発明の目的は、画質が劣化して表示される場合に、エンコード負荷の軽減、ビットレートの削減等を図ることにある。
【課題を解決するための手段】
【００１２】
この発明の概念は、
送信映像信号に圧縮処理を施して圧縮符号化データを得るエンコーダと、
上記エンコーダで得られた圧縮符号化データが送信される映像受信装置から送られてくる受信映像の画質制御情報を受信する情報受信部と、
上記エンコーダにおけるエンコード処理を、上記情報受信部で受信された受信映像の画質制御情報に基づいて制御するエンコード制御部と
を備えることを特徴とする映像送信装置にある。
【００１３】
また、この発明の概念は、
映像送信装置から送られてくる映像信号の圧縮符号化データに伸長処理を施して受信映像信号を得るデコーダと、
上記デコーダで得られた受信映像信号による受信映像の画質を制御する画質制御部と、  上記画質制御部における画質制御情報を上記映像送信装置に送信する情報送信部と
を備えることを特徴とする映像受信装置にある。
【００１４】
この発明において、映像受信装置から映像送信装置には、受信映像の画質制御情報が送信される。映像送信装置では、この画質制御情報に基づいて、エンコーダにおけるエンコード処理が制御される。これにより、例えば、画質が劣化して表示される場合に、エンコード負荷の軽減、ビットレートの削減、さらにはデコード負荷の軽減が図られる。
【００１５】
例えば、画質制御情報が表示解像度を制御する制御情報である場合、エンコーダでは、送信映像信号を画質制御情報が示す表示解像度に対応した解像度を持つように処理したものに圧縮処理が施される。また、例えば、画質制御情報が表示色数を制御する制御情報である場合、エンコーダでは、送信映像信号を画質制御情報が示す表示色数に対応した色数を持つように処理したものに圧縮処理が施される。また、例えば、画質制御情報が表示フレームレートを制御する制御情報である場合、エンコーダでは、送信映像信号を画質制御情報が示す表示フレームレートに対応したフレームレートを持つように処理したものに圧縮処理が施される。
【発明の効果】
【００１６】
この発明によれば、映像送信装置において映像受信装置から送られてくる受信映像の画質制御情報に基づいてエンコード処理を制御するものであり、例えば画質が劣化して表示される場合に、エンコード負荷の軽減、ビットレートの削減、さらにはデコード負荷の軽減を図ることができる。
【発明を実施するための最良の形態】
【００１７】
以下、図面を参照して、この発明の実施の形態について説明する。図１は、実施の形態としての映像送受信システム１００の構成例を示している。この映像送受信システム１００は、映像送信装置１１０と映像受信装置１２０とがネットワーク１５０を介して接続された構成とされている。
【００１８】
映像送信装置１１０は、映像入力部１１１、エンコーダ１１２、情報受信部１１３およびエンコード制御部１１４を有している。映像入力部１１１は、カメラ、再生機等の映像信号の出力装置、あるいは、外部から映像信号を入力する映像入力端子等で構成されている。エンコーダ１１２は、映像入力部１１１で得られた送信映像信号ＴＳに対して、例えば、ＩＴＵによって標準化されたＨ．３２３等の所定規格に準拠した圧縮方式によって圧縮処理を施し、圧縮符号化データ（送信ストリームデータ）を生成する。この圧縮符号化データは、図示しないパケタイザにより所定フォーマットでパケット化された後、図示しない通信インタフェースによりネットワーク１５０を介して映像受信装置１２０に送信される。
【００１９】
情報送信部１１３は、映像受信装置１２０からネットワーク１５０を介して送信されてくる画面制御情報を受信する。この画面制御情報は、映像受信装置１２０における受信映像の表示パターン等を示す情報である。ここで、表示パターンには、図８（ａ）〜（ｄ）に示すように、モニタの画面全体に受信映像が表示されるパターン、モニタ画面に一部が欠けた状態で受信映像が表示されるパターン、モニタ画面に画質を劣化させて受信映像が表示されるパターン、表示解像度の小さな低性能モニタに受信映像が表示されるパターン等がある。なお、画質劣化には、表示解像度を少なくする場合、表示色数を少なくする場合、表示フレームレートを少なくする場合等がある。
【００２０】
エンコード制御部１１４は、情報受信部１１３で受信された画面制御情報に基づいて、エンコーダ１１２におけるエンコード処理を制御する。この場合、エンコーダ１１２では、表示パターンに対応したエンコード処理が行われる。このエンコード制御部１１４によるエンコード処理の制御の詳細については、後述する。
【００２１】
また、映像受信装置１２０は、デコーダ１２１、画面制御部１２２、モニタ１２３、画面制御情報取得部１２４および情報送信部１２５を有している。映像送信装置１１０からネットワーク１５０を介して送信されてくるパケット化された圧縮符号化データは図示しない通信インタフェースにより受信されて図示しないデパケタイザに供給され、このデパケタイザで各パケットから抽出されて再構成された圧縮符号化データはデコーダ１２１に供給される。このデコーダ１２１は、圧縮符号化データに対して伸長処理を施し、受信映像信号ＲＳを生成する。モニタ１２３は、デコーダ１２１で生成された受信映像信号ＲＳによる受信映像を表示する。画面制御部１２２は、モニタ１２３に表示される受信映像の表示パターンを制御する（図８参照）。
【００２２】
画面制御情報取得部１２４は、画面制御部１２２から画面制御情報を取得する。この画面制御情報は、上述したように、モニタ１２３に表示される受信映像の表示パターン等を示す情報である。情報送信部１２５は、画面制御情報取得部１２４で取得された画面制御情報を、ネットワーク１５０を介して、映像送信装置１１０に送信する。
【００２３】
図１に示す映像送受信システム１００の動作を説明する。
【００２４】
映像送信装置１１０において、映像入力部１１１で得られる送信映像信号ＴＳはエンコーダ１１２に供給される。このエンコーダ１１２では、送信映像信号ＴＳに対して、例えばＩＴＵによって標準化されたＨ．３２３等の所定規格に準拠した圧縮方式によって圧縮処理が施され、圧縮符号化データ（送信ストリームデータ）が生成される。この圧縮符号化データは、図示しないパケタイザにより所定フォーマットでパケット化された後、図示しない通信インタフェースによりネットワーク１５０を介して映像受信装置１２０に送信される。
【００２５】
そして、映像受信装置１２０において、映像送信装置１１０からネットワーク１５０を介して送信されてくるパケット化された圧縮符号化データは図示しない通信インタフェースにより受信されて図示しないデパケタイザに供給され、このデパケタイザで各パケットから抽出されて再構成された圧縮符号化データはデコーダ１２１に供給される。このデコーダ１２１では、圧縮符号化データに対して伸長処理が施され、受信映像信号ＲＳが生成される。この受信映像信号ＲＳは画面制御部１２２に供給され、モニタ１２３に当該受信映像信号ＲＳによる受信画像が表示される。この場合、例えば、ユーザ操作に基づいて、画面制御部１２２の制御により、モニタ１２３に表示される受信画像の表示パターンの切り替えが可能とされている（図８参照）。
【００２６】
映像受信装置１２０において、画面制御情報取得部１２４により、画面制御部１２２における、表示パターン等の情報を含む画面制御情報が取得される。そして、情報送信部１２５は、例えば画面制御情報取得部１２４で取得された画面制御情報が変化する毎に、当該画面制御情報をネットワーク１５０を介して映像送信装置１１０に送信する。
【００２７】
映像送信装置１１０において、情報受信部１１３により、映像受信装置１２０から送られてくる画面制御情報が受信される。この画面制御情報は、エンコード制御部１１４に供給される。そして、エンコード制御部１１４により、画面制御情報に基づいて、エンコーダ１１２におけるエンコード処理が、映像受信装置１２０における受信映像の表示パターンに対応したものとされる。
【００２８】
次に、このエンコード制御部１１４によるエンコード処理の制御について説明する。図２のフローチャートは、エンコード制御部１１４における制御動作を示している。
【００２９】
エンコード制御部１１４は、ステップＳＴ１において、情報受信部１１３で画面制御情報が受信されるとき、ステップＳＴ２に移る。このステップＳＴ２において、エンコード制御部１１４は、画面制御情報に含まれる表示パターンの情報に基づいて、表示パターンが何か判定する。
【００３０】
全画面表示の表示パターン（図８（ａ））であると判定するとき、エンコード制御部１１４は、ステップＳＴ３において、送信映像信号ＴＳに対してそのまま圧縮処理が施されるように、エンコーダ１１２のエンコード処理を制御する。
【００３１】
また、一部が欠けた状態で受信映像が表示される表示パターン（図８（ｂ））であると判定するとき、エンコード制御部１１４は、ステップＳＴ４において、画面制御情報から欠けた領域の位置、形状、大きさ等の情報を取得する。そして、エンコード制御部１１４は、ステップＳＴ５において、欠けた領域のデータ量が低減されるように、エンコーダ１１２のエンコード処理を制御する。
【００３２】
図３は、この場合におけるエンコーダ１１２におけるエンコード処理を示している。すなわち、エンコーダ１１２は、入力映像に対してエンコード処理を行うが、欠けた領域の位置、形状、大きさ等の情報に基づいて、欠けた領域のデータ量が低減されるようにエンコード処理を行う。（ａ）例えば、エンコーダ１１２は、欠けた領域に対応した部分を単一色とする処理を行った状態で、入力映像に圧縮処理を施して、圧縮符号化データを生成する。（ｂ）また、例えば、エンコーダ１１２は、入力映像に圧縮処理を施して圧縮符号化データを生成する際に、欠けた領域に対応した部分にマクロブロックスキップを行う等して符号化を省略する。（ｃ）さらに、例えば、エンコーダ１１２は、入力映像に圧縮処理を施して圧縮符号化データを生成する際に、欠けた領域に対応した部分の量子化値を大きく、例えば最大にする。
【００３３】
図２に戻って、画質を劣化させて受信映像が表示される表示パターン（図８（ｃ））であると判定するとき、エンコード制御部１１４は、ステップＳＴ６において、画面制御情報から表示解像度、表示フレームレート、あるいは表示色数の情報を取得する。そして、エンコード制御部１１４は、ステップＳＴ７において、表示される画質でエンコードされるように、エンコーダ１１２のエンコード処理を制御する。
【００３４】
図４は、この場合におけるエンコーダ１１２におけるエンコード処理を示している。すなわち、エンコーダ１１２は、入力映像に対してエンコード処理を行うが、受信映像の表示画質（表示解像度、表示色数、表示フレームレート）に対応した状態でエンコード処理を行う。（ａ）例えば、エンコーダ１１２は、表示解像度に対応した解像度を持つように処理した状態で、入力映像に圧縮処理を施して、圧縮符号化データを生成する。（ｂ）また、例えば、エンコーダ１１２は、表示フレームレートに対応したフレームレートを持つように処理した状態で、入力映像に圧縮処理を施して、圧縮符号化データを生成する。（ｃ）さらに、例えば、エンコーダ１１２は、表示色数に対応した色数を持つように処理した状態で、入力映像に圧縮処理を施して、圧縮符号化データを生成する。
【００３５】
以上説明したように、図１に示す映像送受信システム１００においては、映像送信装置１１０において映像受信装置１２０から送られてくる受信映像の画質制御情報に基づいてエンコーダ１１２におけるエンコード処理を制御するものであり、例えば画質が劣化して表示される場合に、エンコーダ１１２、デコーダ１２１における無駄な処理を回避でき、エンコード負荷の軽減、ビットレートの削減、さらにはデコード負荷の軽減を図ることができる。
【００３６】
次に、この発明の他の実施の形態について説明する。図５は、他の実施の形態としての映像送受信システム１００Ａの構成例を示している。この図５において、図１と対応する部分には同一符号を付し、適宜、その詳細説明を省略する。この映像送受信システム１００Ａは、子端末としての映像送信装置１１０ａ，１１０ｂ，１１０ｃと、親端末としての映像受信装置１２０Ａとがネットワーク１５０を介して接続された構成とされている。
【００３７】
映像送信装置１１０ａは、映像入力部１１１ａ、エンコーダ１１２ａ、情報受信部１１３ａおよびエンコード制御部１１４ａを有している。映像入力部１１１ａは、カメラ、再生機等の映像信号の出力装置、あるいは、外部から映像信号を入力する映像入力端子等で構成されている。エンコーダ１１２ａは、映像入力部１１１ａで得られた送信映像信号ＴＳａに対して、例えば、ＩＴＵによって標準化されたＨ．３２３等の所定規格に準拠した圧縮方式によって圧縮処理を施し、圧縮符号化データ（送信ストリームデータ）を生成する。この圧縮符号化データは、図示しないパケタイザにより所定フォーマットでパケット化された後、図示しない通信インタフェースによりネットワーク１５０を介して映像受信装置１２０Ａに送信される。
【００３８】
情報送信部１１３ａは、映像受信装置１２０Ａからネットワーク１５０を介して送信されてくる画面制御情報Ｉａを受信する。この画面制御情報Ｉａは、映像受信装置１２０Ａにおける、当該映像送信装置１１０ａの送信映像信号ＴＳａに係る受信映像の表示パターン等を示す情報である。エンコード制御部１１４ａは、情報受信部１１３ａで受信された画面制御情報に基づいて、エンコーダ１１２ａにおけるエンコード処理を制御する。この場合、エンコーダ１１２ａでは、表示パターンに対応したエンコード処理が行われる。詳細説明は省略するが、このエンコード制御部１１４ａによるエンコード処理の制御は、上述の図１に示す映像送受信システム１００の映像送信装置１１０におけるエンコード制御部１１４によるエンコード処理の制御と同様である。
【００３９】
映像送信装置１１０ｂは、上述の映像送信装置１１０ａと同様に構成されている。すなわち、この映像送信装置１１０ｂは、映像入力部１１１ｂ、エンコーダ１１２ｂ、情報受信部１１３ｂおよびエンコード制御部１１４ｂを有している。この場合、映像入力部１１１ｂは、送信映像信号ＴＳｂを出力する。また、情報受信部１１３ｂは、映像受信装置１２０Ａからネットワーク１５０を介して送信されてくる画面制御情報Ｉｂを受信する。この画面制御情報Ｉｂは、映像受信装置１２０Ａにおける、当該映像送信装置１１０ｂの送信映像信号ＴＳｂに対応した受信映像の表示パターン等を示す情報である。
【００４０】
映像送信装置１１０ｃは、上述の映像送信装置１１０ａと同様に構成されている。すなわち、この映像送信装置１１０ｃは、映像入力部１１１ｃ、エンコーダ１１２ｃ、情報受信部１１３ｃおよびエンコード制御部１１４ｃを有している。この場合、映像入力部１１１ｃは、送信映像信号ＴＳｃを出力する。情報受信部１１３ｃは、映像受信装置１２０Ａからネットワーク１５０を介して送信されてくる画面制御情報Ｉｃを受信する。この画面制御情報Ｉｃは、映像受信装置１２０Ａにおける、当該映像送信装置１１０ｃの送信映像信号ＴＳｃに対応した受信映像の表示パターン等を示す情報である。
【００４１】
また、映像受信装置１２０Ａは、デコーダ１２１ａ，１２１ｂ，１２１ｃ、画面制御部１２２、モニタ１２３、画面制御情報取得部１２４および情報送信部１２５を有している。
【００４２】
映像送信装置１１０ａからネットワーク１５０を介して送信されてくるパケット化された圧縮符号化データは図示しない通信インタフェースにより受信されて図示しないデパケタイザに供給され、このデパケタイザで各パケットから抽出されて再構成された圧縮符号化データはデコーダ１２１ａに供給される。このデコーダ１２１ａは、圧縮符号化データに対して伸長処理を施し、受信映像信号ＲＳａを生成する。
【００４３】
また、映像送信装置１１０ｂからネットワーク１５０を介して送信されてくるパケット化された圧縮符号化データは図示しない通信インタフェースにより受信されて図示しないデパケタイザに供給され、このデパケタイザで各パケットから抽出されて再構成された圧縮符号化データはデコーダ１２１ｂに供給される。このデコーダ１２１ｂは、圧縮符号化データに対して伸長処理を施し、受信映像信号ＲＳｂを生成する。
【００４４】
さらに、映像送信装置１１０ｃからネットワーク１５０を介して送信されてくるパケット化された圧縮符号化データは図示しない通信インタフェースにより受信されて図示しないデパケタイザに供給され、このデパケタイザで各パケットから抽出されて再構成された圧縮符号化データはデコーダ１２１ｃに供給される。このデコーダ１２１ｃは、圧縮符号化データに対して伸長処理を施し、受信映像信号ＲＳｃを生成する。
【００４５】
モニタ１２３は、デコーダ１２１ａ，１２１ｂ，１２１ｃで生成された受信映像信号ＲＳａ，ＲＳｂ，ＲＳｃによる受信映像を表示する。画面制御部１２２は、モニタ１２３に表示される受信映像の表示パターンを制御する。図６は、受信映像の表示パターン例を示している。
【００４６】
図６（ａ）は、モニタ１２３の画面に、受信映像信号ＲＳａ，ＲＳｂ，ＲＳｃによる受信画像ａ、受信画像ｂ、受信画像ｃが、同じ解像度（大きさ）で、並べて表示されている。図６（ｂ）は、モニタ１２３の画面に、受信映像信号ＲＳａ，ＲＳｂ，ＲＳｃによる受信画像ａ、受信画像ｂ、受信画像ｃが並べて表示されているが、受信映像信号ＲＳａの解像度（大きさ）は、他の受信画像ｂ、受信映像ｃの解像度より大きくされている。ユーザの操作に基づき、あるいは所定時間毎に、受信映像ａが、受信画像ｂまたは受信映像ｃと置き換わることもある。図６（ｃ）は、モニタ１２３の画面全体に受信画像ａが表示されている。ユーザの操作に基づき、あるいは所定時間毎に、受信映像ａが、受信画像ｂまたは受信映像ｃと置き換わる。
【００４７】
画面制御情報取得部１２４は、画面制御部１２２から画面制御情報を取得する。この画面制御情報は、上述したように、モニタ１２３に表示される受信映像ａ、受信映像ｂ、受信映像ｃの表示パターン等を示す情報である。情報送信部１２５は、画面制御情報取得部１２４で取得された画面制御情報を、ネットワーク１５０を介して、映像送信装置１１０ａ，１１０ｂ，１１０ｃに送信する。
【００４８】
図５に示す映像送受信システム１００Ａの動作を説明する。
【００４９】
映像送信装置１１０ａにおいて、映像入力部１１１ａで得られる送信映像信号ＴＳａはエンコーダ１１２ａに供給される。このエンコーダ１１２ａでは、送信映像信号ＴＳａに対して、例えばＩＴＵによって標準化されたＨ．３２３等の所定規格に準拠した圧縮方式によって圧縮処理が施され、圧縮符号化データ（送信ストリームデータ）が生成される。この圧縮符号化データは、図示しないパケタイザにより所定フォーマットでパケット化された後、図示しない通信インタフェースによりネットワーク１５０を介して映像受信装置１２０Ａに送信される。
【００５０】
また、映像送信装置１１０ｂにおいて、映像入力部１１１ｂで得られる送信映像信号ＴＳｂはエンコーダ１１２ｂに供給される。このエンコーダ１１２ｂでは、送信映像信号ＴＳｂに対して、例えばＩＴＵによって標準化されたＨ．３２３等の所定規格に準拠した圧縮方式によって圧縮処理が施され、圧縮符号化データ（送信ストリームデータ）が生成される。この圧縮符号化データは、図示しないパケタイザにより所定フォーマットでパケット化された後、図示しない通信インタフェースによりネットワーク１５０を介して映像受信装置１２０Ａに送信される。
【００５１】
また、映像送信装置１１０ｃにおいて、映像入力部１１１ｃで得られる送信映像信号ＴＳｃはエンコーダ１１２ｃに供給される。このエンコーダ１１２ｃでは、送信映像信号ＴＳｃに対して、例えばＩＴＵによって標準化されたＨ．３２３等の所定規格に準拠した圧縮方式によって圧縮処理が施され、圧縮符号化データ（送信ストリームデータ）が生成される。この圧縮符号化データは、図示しないパケタイザにより所定フォーマットでパケット化された後、図示しない通信インタフェースによりネットワーク１５０を介して映像受信装置１２０Ａに送信される。
【００５２】
そして、映像受信装置１２０Ａにおいて、映像送信装置１１０ａ，１１０ｂ，１１０ｃからネットワーク１５０を介して送信されてくるパケット化された圧縮符号化データは図示しない通信インタフェースにより受信されて図示しないデパケタイザに供給され、このデパケタイザで各パケットから抽出されて再構成された圧縮符号化データはデコーダ１２１ａ，１２１ｂ，１２１ｃに供給される。このデコーダ１２１ａ，１２１ｂ，１２１ｃでは、圧縮符号化データに対して伸長処理が施され、受信映像信号ＲＳａ，ＲＳｂ，ＲＳｃが生成される。この受信映像信号ＲＳａ，ＲＳｂ，ＲＳｃは画面制御部１２２に供給され、モニタ１２３に当該受信映像信号ＲＳａ，ＲＳｂ，ＲＳｃによる受信画像が表示される。この場合、例えば、ユーザ操作に基づいて、あるいは、自動的に、画面制御部１２２の制御により、モニタ１２３に表示される受信画像の表示パターンが種々に切り替えられる（図６参照）。
【００５３】
映像受信装置１２０Ａにおいて、画面制御情報取得部１２４により、画面制御部１２２における、表示パターン等の情報を含む画面制御情報が取得される。そして、情報送信部１２５は、例えば画面制御情報取得部１２４で取得された画面制御情報が変化する毎に、当該画面制御情報をネットワーク１５０を介して映像送信装置１１０ａ，１１０ｂ，１１０ｃに送信する。
【００５４】
映像送信装置１１０ａにおいて、情報受信部１１３ａにより、映像受信装置１２０Ａから送られてくる画面制御情報Ｉａが受信される。この画面制御情報Ｉａは、映像受信装置１２０Ａにおける受信映像ａの表示パターン等を示す情報である。この画面制御情報Ｉａは、エンコード制御部１１４ａに供給される。そして、エンコード制御部１１４ａにより、画面制御情報Ｉａに基づいて、エンコーダ１１２ａにおけるエンコード処理が、映像受信装置１２０Ａにおける受信映像ａの表示パターンに対応したものとされる。例えば、図６（ａ），（ｂ）のように受信映像ａの表示解像度が低下されたものである場合、エンコーダ１１２ａでは、表示解像度に対応した解像度を持つように処理された状態で、入力映像に圧縮処理が施されて、圧縮符号化データが生成される。また、例えば、受信画像ａが表示されない場合、エンコーダ１１２ａでは、入力映像の符号化が省略され、あるいは、量子化値が最大とされて入力映像の符号化が行われる。
【００５５】
同様に、映像送信装置１１０ｂにおいて、情報受信部１１３ｂにより、映像受信装置１２０Ａから送られてくる画面制御情報Ｉｂが受信される。この画面制御情報Ｉｂは、映像受信装置１２０Ａにおける受信映像ｂの表示パターン等を示す情報である。この画面制御情報Ｉｂは、エンコード制御部１１４ｂに供給される。そして、エンコード制御部１１４ｂにより、画面制御情報Ｉｂに基づいて、エンコーダ１１２ｂにおけるエンコード処理が、映像受信装置１２０Ａにおける受信映像ｂの表示パターンに対応したものとされる。
【００５６】
また、同様に、映像送信装置１１０ｃにおいて、情報受信部１１３ｃにより、映像受信装置１２０Ａから送られてくる画面制御情報Ｉｃが受信される。この画面制御情報Ｉｃは、映像受信装置１２０Ａにおける受信映像ｃの表示パターン等を示す情報である。この画面制御情報Ｉｃは、エンコード制御部１１４ｃに供給される。そして、エンコード制御部１１４ｃにより、画面制御情報Ｉｃに基づいて、エンコーダ１１２ｃにおけるエンコード処理が、映像受信装置１２０Ａにおける受信映像ｃの表示パターンに対応したものとされる。
【００５７】
以上説明したように、図５に示す映像送受信システム１００Ａにおいては、映像送信装置１１０ａ，１１０ｂ，１１０ｃにおいて映像受信装置１２０Ａから送られてくる受信映像ａ、受信映像ｂ、受信映像ｃの画質制御情報Ｉａ，Ｉｂ，Ｉｃに基づいてエンコーダ１１２ａ，１１２ｂ，１１２ｃにおけるエンコード処理を制御するものであり、例えば表示解像度が劣化して表示される場合に、エンコーダ１１２ａ，１１２ｂ，１１２ｃ、デコーダ１２１ａ，１２１ｂ，１２１ｃにおける無駄な処理を回避でき、エンコード負荷の軽減、ビットレートの削減、さらにはデコード負荷の軽減を図ることができる。
【００５８】
なお、上述実施の形態においては、映像信号が一方向に伝送される映像送受信システムを示したものであるが、この発明は、映像信号が双方向に伝送されるテレビ会議等の双方向コミュニケーションシステムにも同様に適用できる。
【産業上の利用可能性】
【００５９】
この発明は、エンコード負荷の軽減、ビットレートの削減、さらにはデコード負荷の軽減を図ることができるものであり、監視カメラ装置、テレビ会議システム等に適用することができる。
【図面の簡単な説明】
【００６０】
【図１】この発明の実施の形態としての映像送受信システムの構成例を示すブロック図である。
【図２】エンコード制御部における制御動作を示すフローチャートである。
【図３】一部が欠けた状態で受信映像が表示される表示パターンである場合におけるエンコード処理を説明するための図である。
【図４】画質を劣化させて受信映像が表示される表示パターンである場合におけるエンコード処理を説明するための図である。
【図５】この発明の他の実施の形態としての映像送受信システムの構成例を示すブロック図である。
【図６】親端末における子端末の受信映像の表示パターン例を示す図である。
【図７】従来の映像送受信システムの構成例を示すブロック図である。
【図８】映像受信装置における受信映像の表示パターン例を示す図である。
【符号の説明】
【００６１】
１００，１００Ａ・・・映像送受信システム、１１０，１１０ａ〜１１０ｃ・・・映像送信装置、１１１，１１１ａ〜１１１ｃ・・・映像入力部、１１２，１１２ａ〜１１２ｃ・・・エンコーダ、１１３，１１３ａ〜１１３ｃ・・・情報受信部、１１４，１１４ａ〜１１４ｃ・・・エンコード制御部、１２０，１２０Ａ・・・映像受信装置、１２１，１２１ａ〜１２１ｃ・・・デコーダ、１２２・・・画面制御部、１２３・・・モニタ、１２４・・・画面制御情報取得部、１２５・・・情報送信部、１５０・・・ネットワーク
【図１】
2009111441.tif 000003
【図２】
2009111441.tif 000004
【図５】
2009111441.tif 000005
【図６】
2009111441.tif 000006
【図７】
2009111441.tif 000007
【図８】
2009111441.tif 000008
【図３】
2009111441.tif 000009
【図４】
2009111441.tif 000010